【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
通信相手の無線送受信ユニット（ＷＴＲＵ）の送信パワーを制御するために無線ネットワークのアクセスポイント（ＡＰ）によって使用される方法において、
所与のＷＴＲＵに対する所望の送信パワーレベルを決定するステップと、
前記所与のＷＴＲＵの識別データとともに前記決定された所望の送信パワーレベルを表すデータを通信フレームに挿入するステップと、
前記所与のＷＴＲＵが前記ＡＰ宛の無線信号の送信パワーを調整することを可能にするために前記通信フレームを送信するステップと
を含むことを特徴とする無線ネットワークのアクセスポイントによって使用される方法。
【請求項２】
前記所望の送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記所与のＷＴＲＵから受信される信号の送信パワーの少なくとも１つを含むデータを決定し保存することにより、過去の送受信統計値を利用するステップを含むことを特徴とする請求項１に記載の方法。
【請求項３】
前記ＡＰが調整可能アンテナを有し、前記所望の送信パワーレベルを決定するステップが、前記調整可能アンテナの調整に応じて前記所望の送信パワーレベルを修正するステップを含むことを特徴とする請求項２に記載の方法。
【請求項４】
前記フレームで送信されるパワー制御情報を識別するためのデータを、物理層コンバージェンスプロシージャ（ＰＬＣＰ）ヘッダの所定ビット群に挿入するステップをさらに含むことを特徴とする請求項１に記載の方法。
【請求項５】
前記決定された所望の送信パワーレベルを表すデータを挿入するステップが、所望の送信パワーレベルデータを前記フレームのデータ部の先頭の所定バイト数の部分に挿入するステップを含むことを特徴とする請求項１に記載の方法。
【請求項６】
無線ネットワークの無線送受信ユニット（ＷＴＲＵ）によって使用される方法において、
他のＷＴＲＵへ一般パワー制約メッセージをブロードキャストするステップと、
所与のＷＴＲＵに対する所望の送信パワーレベルを決定するステップと、
前記所与のＷＴＲＵの識別データとともに前記所望の送信パワーレベルを表すデータを通信フレームに挿入するステップと、
前記一般パワー制約メッセージにかかわらず前記所与のＷＴＲＵが該ＷＴＲＵ宛の無線信号の送信パワーを調整することを可能にするために、前記通信フレームを送信するステップと
を含むことを特徴とする無線送受信ユニットによって使用される方法。
【請求項７】
前記ＷＴＲＵが無線ローカルエリアネットワーク（ＷＬＡＮ）のアクセスポイント（ＡＰ）であり、一般パワー制約メッセージをブロードキャストするステップがビーコンフレームを用いて前記ＡＰにより実行されることを特徴とする請求項６に記載の方法。
【請求項８】
前記所望の送信パワーレベルを表すデータを挿入するステップが、前記所望の送信パワーレベルデータを前記ビーコンフレームに挿入するステップを含むことを特徴とする請求項７に記載の方法。
【請求項９】
前記所望の送信パワーレベルを表すデータを挿入するステップが、ＣＴＳ（clear-to-send）、ＲＴＳ（request-to-send）、データまたはＡＣＫ（acknowledge）フレームに、前記所望の送信パワーレベルデータを挿入するステップを含むことを特徴とする請求項７に記載の方法。
【請求項１０】
前記フレームで送信される所望の送信パワーレベルデータを識別するためのデータを、物理層コンバージェンスプロシージャ（ＰＬＣＰ）ヘッダの所定ビット群に挿入するステップをさらに含むことを特徴とする請求項９に記載の方法。
【請求項１１】
前記所望の送信パワーレベルを表すデータを挿入するステップが、前記所望の送信パワーレベルデータを前記フレームのデータ部の先頭の所定バイト数の部分に挿入するステップを含むことを特徴とする請求項９に記載の方法。
【請求項１２】
前記所望の送信パワーレベルを表すデータを挿入するステップが、前記所望の送信パワーレベルデータをメディアアクセス制御（ＭＡＣ）ヘッダに挿入するステップを含むことを特徴とする請求項９に記載の方法。
【請求項１３】
前記所望の送信パワーレベルおよび前記所与のＷＴＲＵの識別データとともに、ＡＰ送信パワーレベルを表すデータを前記通信フレームに挿入するステップをさらに含むことを特徴とする請求項９に記載の方法。
【請求項１４】
前記所望の送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記所与のＷＴＲＵから受信される信号の送信パワーの少なくとも１つを含むデータを決定し保存することにより、過去の送受信統計値を利用するステップを含むことを特徴とする請求項７に記載の方法。
【請求項１５】
前記所望の送信パワーレベルを表すデータを挿入するステップが、パワー制御のために特別に指定された個々の制御フレームに前記所望の送信パワーレベルデータを挿入するステップを含むことを特徴とする請求項７に記載の方法。
【請求項１６】
無線ネットワークの無線送受信ユニット（ＷＴＲＵ）のための無線通信方法において、
前記無線ネットワークのアクセスポイント（ＡＰ）から一般パワー制約メッセージのブロードキャストを受信するステップと、
前記ＡＰとの無線通信アソシエーションを確立するステップと、
前記ＡＰから前記ＷＴＲＵの識別データとともに所望の送信パワーレベルを表すデータを有する通信フレームを受信するステップと、
前記一般パワー制約メッセージにかかわらず、前記受信された所望の送信パワーレベルデータに基づいて前記ＡＰ宛の無線信号の送信パワーを調整するステップと
を含むことを特徴とする無線送受信ユニットのための無線通信方法。
【請求項１７】
一般パワー制約メッセージの前記ブロードキャストが、無線ローカルエリアネットワーク（ＷＬＡＮ）のビーコンフレームで受信されることを特徴とする請求項１６に記載の方法。
【請求項１８】
前記ＷＴＲＵがバッテリにより電力供給されており、前記ＡＰ宛の無線信号の送信パワーを調整するステップが、
残存バッテリエネルギー容量を測定するステップと、
前記受信された所望の送信パワーレベルデータおよび前記測定された残存エネルギー容量に基づいて送信パワーを修正するステップと
をさらに含むことを特徴とする請求項１６に記載の方法。
【請求項１９】
前記ＡＰ宛の無線信号の送信パワーを調整するステップが、前記バッテリの前記測定された残存エネルギー容量が所定の閾値よりも高い場合に、調整の基礎として前記受信された所望の送信パワーレベルデータを使用するステップを含むことを特徴とする請求項１８に記載の方法。
【請求項２０】
前記ＡＰ宛の無線信号の送信パワーを調整するステップが、前記バッテリの前記測定された残存エネルギー容量が前記所定の閾値よりも低い場合に、調整の基礎として前記受信された所望の送信パワーレベルデータを使用し、前記測定された残存エネルギー容量と前記所定の閾値との差の関数として前記調整を低減するステップを含むことを特徴とする請求項１９に記載の方法。
【請求項２１】
前記パワー調整が低減される場合、バッテリ低下メッセージを前記ＡＰへ送信するステップをさらに含むことを特徴とする請求項２０に記載の方法。
【請求項２２】
前記受信された所望の送信パワーレベルデータに基づいて前記ＡＰ宛の無線信号の送信パワーを調整するステップが、ＷＴＲＵ決定判断基準によって影響を受ける場合に、前記ＡＰへ非準拠調整メッセージを送信するステップをさらに含むことを特徴とする請求項１６に記載の方法。
【請求項２３】
前記受信された所望の送信パワーレベルデータに基づいて前記ＡＰ宛の無線信号の送信パワーを調整するステップが、残存バッテリ容量、最大パワーレベル、最小パワーレベルおよび非サポート機能のうちの少なくとも１つのＷＴＲＵ決定判断基準にも基づくことを特徴とする請求項２２に記載の方法。
【請求項２４】
ＡＰから前記ＷＴＲＵへの送信のための所望のＡＰ送信パワーレベルを決定するステップと、
前記ＷＴＲＵの識別データとともに前記所望のＡＰ送信パワーレベルを表すデータを通信フレームに挿入するステップと、
前記ＡＰが前記ＷＴＲＵ宛の無線信号の送信パワーを調整することを可能にするために前記通信フレームを送信するステップと
をさらに含むことを特徴とする請求項１６に記載の方法。
【請求項２５】
無線ネットワークの無線送受信ユニット（ＷＴＲＵ）のための無線通信方法において、  無線ローカルエリアネットワーク（ＷＬＡＮ）のアクセスポイント（ＡＰ）から一般パワー制約メッセージのブロードキャストを受信するステップと、
前記ＡＰとの無線通信アソシエーションを確立するステップと、
ＡＰから前記ＷＴＲＵへの送信のための所望のＡＰ送信パワーレベルを決定するステップと、
通信フレームに、前記ＷＴＲＵの識別データとともに前記所望のＡＰ送信パワーレベルを表すデータを挿入するステップと、
前記ＡＰが前記ＷＴＲＵ宛の無線信号の送信パワーを調整することを可能にするために前記通信フレームを送信するステップと
を含むことを特徴とする無線送受信ユニットのための無線通信方法。
【請求項２６】
前記所望のＡＰ送信パワーレベルを表すデータを挿入するステップが、ＣＴＳ（clear-to-send）、ＲＴＳ（request-to-send）、データまたはＡＣＫ（acknowledge）フレームに、前記所望のＡＰ送信パワーレベルデータを挿入するステップを含むことを特徴とする請求項２４または２５に記載の方法。
【請求項２７】
前記フレームで送信される所望のＡＰ送信パワーレベルデータを識別するためのデータを、物理層コンバージェンスプロシージャ（ＰＬＣＰ）ヘッダの所定ビット群に挿入するステップをさらに含むことを特徴とする請求項２６に記載の方法。
【請求項２８】
前記所望のＡＰ送信パワーレベルを表すデータを挿入するステップが、前記フレームのデータ部の先頭の所定バイト数の部分に、前記所望の送信パワーレベルデータを挿入するステップを含むことを特徴とする請求項２６に記載の方法。
【請求項２９】
前記所望のＡＰ送信パワーレベルを表すデータを挿入するステップが、メディアアクセス制御（ＭＡＣ）ヘッダに、前記所望のＡＰ送信パワーレベルデータを挿入するステップを含むことを特徴とする請求項２６に記載の方法。
【請求項３０】
前記所望のＡＰ送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記ＡＰから受信される信号の送信パワーの少なくとも１つを含むデータを決定し保存することにより過去の送受信統計値を利用するステップを含むことを特徴とする請求項２４または２５に記載の方法。
【請求項３１】
前記所望のＡＰ送信パワーレベルを表すデータを挿入するステップが、パワー制御のために特別に指定された個々の制御フレームに、前記所望の送信パワーレベルデータを挿入するステップを含むことを特徴とする請求項２４または２５に記載の方法。
【請求項３２】
無線ネットワークで使用するように構成された無線送受信ユニット（ＷＴＲＵ）において、
他のＷＴＲＵへ一般パワー制約メッセージをブロードキャストするように設定された送信機と、
所与のＷＴＲＵに対する所望の送信パワーレベルを決定し、通信フレームに、前記所与のＷＴＲＵの識別データとともに前記所望の送信パワーレベルを表すデータを挿入するように設定されたプロセッサと
を備え、
前記送信機が、前記一般パワー制約メッセージにかかわらず、前記所与のＷＴＲＵが前記ＷＴＲＵ宛の無線信号の送信パワーを調整することを可能にするために、所望の送信パワーレベルおよび識別データを含む通信フレームを送信するように設定されている
ことを特徴とする無線送受信ユニット。
【請求項３３】
前記ＷＴＲＵが無線ローカルエリアネットワーク（ＷＬＡＮ）のアクセスポイント（ＡＰ）として構成され、前記送信機が、ビーコンフレームで前記一般パワー制約メッセージをブロードキャストするように設定されていることを特徴とする請求項３２に記載の無線送受信ユニット。
【請求項３４】
前記プロセッサが、前記ビーコンフレームに前記所望の送信パワーレベルデータを挿入することによって、前記所望の送信パワーレベルを表すデータを挿入するように設定されていることを特徴とする請求項３３に記載のアクセスポイント。
【請求項３５】
前記プロセッサが、ＣＴＳ（clear-to-send）、ＲＴＳ（request-to-send）、データまたはＡＣＫ（acknowledge）フレームに前記所望の送信パワーレベルデータを挿入することによって、前記所望の送信パワーレベルを表すデータを挿入するように設定されていることを特徴とする請求項３３に記載のアクセスポイント。
【請求項３６】
前記プロセッサが、前記フレームで送信される所望の送信パワーレベルデータを識別するためのデータを、物理層コンバージェンスプロシージャ（ＰＬＣＰ）ヘッダの所定ビット群に挿入するように設定されていることを特徴とする請求項３５に記載のアクセスポイント。
【請求項３７】
前記プロセッサが、前記フレームのデータ部の先頭の所定バイト数の部分に、前記所望の送信パワーレベルデータを挿入することによって、前記所望の送信パワーレベルを表すデータを挿入するように設定されていることを特徴とする請求項３５に記載のアクセスポイント。
【請求項３８】
前記プロセッサが、メディアアクセス制御（ＭＡＣ）ヘッダに、前記所望の送信パワーレベルデータを挿入することによって、前記所望の送信パワーレベルを表すデータを挿入するように設定されていることを特徴とする請求項３５に記載のアクセスポイント。
【請求項３９】
前記プロセッサが、前記所望の送信パワーレベルおよび前記所与のＷＴＲＵの識別データとともに、ＡＰ送信パワーレベルを表すデータを前記通信フレームに挿入するように設定されていることを特徴とする請求項３５に記載のアクセスポイント。
【請求項４０】
前記プロセッサが、送受信パワーレベルを扱っている過去のメッセージに加えて、信号対雑音比（ＳＮＲ）、ビット誤り率（ＢＥＲ）、フレーム誤り率（ＦＥＲ）、および前記
所与のＷＴＲＵから受信される信号の送信パワーの少なくとも１つを含むデータを決定し、保存することにより、過去の送受信統計値を利用することによって、前記所望の送信パワーレベルを決定するように設定されていることを特徴とする請求項３３に記載のアクセスポイント。
【請求項４１】
前記プロセッサが、パワー制御のために特別に指定された個々の制御フレームに、前記所望の送信パワーレベルデータを挿入することによって、前記所望の送信パワーレベルを表すデータを挿入するように設定されていることを特徴とする請求項３３に記載のアクセスポイント。
【請求項４２】
無線ネットワークで使用するための無線送受信ユニット（ＷＴＲＵ）において、
前記無線ネットワークのアクセスポイント（ＡＰ）から一般パワー制約メッセージのブロードキャストを受信するように設定され、前記ＡＰから前記ＷＴＲＵの識別データとともに所望の送信パワーレベルを表すデータを有する通信フレームを受信するようにさらに設定された受信機と、
前記一般パワー制約メッセージにかかわらず、前記受信された所望の送信パワーレベルデータに基づいて前記ＡＰ宛の無線信号の送信パワーを調整するように設定された関連するプロセッサを有する送信機と
を備えたことを特徴とする無線送受信ユニット。
【請求項４３】
前記受信機が、無線ローカルエリアネットワーク（ＷＬＡＮ）のビーコンフレームで一般パワー制約メッセージの前記ブロードキャストを受信するように設定されていることを特徴とする請求項４２に記載の無線送受信ユニット。
【請求項４４】
電力を供給するためのバッテリをさらに備え、前記プロセッサが、残存バッテリエネルギー容量を測定し、前記受信された所望の送信パワーレベルデータおよび前記測定された残存エネルギー容量に基づいて送信パワーを修正することによって、前記ＡＰ宛の無線信号の送信パワーを調整するように設定されていることを特徴とする請求項４３に記載の無線送受信ユニット。
【請求項４５】
前記プロセッサは、前記バッテリの前記測定された残存エネルギー容量が所定の閾値よりも高い場合に、調整の基礎として前記受信された所望の送信パワーレベルデータを使用することによって、前記ＡＰ宛の無線信号の送信パワーを調整するように設定されていることを特徴とする請求項４４に記載の無線送受信ユニット。
【請求項４６】
前記プロセッサは、前記バッテリの前記測定された残存エネルギー容量が前記所定の閾値よりも低い場合に、調整の基礎として前記受信された所望の送信パワーレベルデータを使用し、前記測定された残存エネルギー容量と前記所定の閾値との差の関数として前記調整を低減することによって、前記ＡＰ宛の無線信号の送信パワーを調整するように設定されていることを特徴とする請求項４５に記載の無線送受信ユニット。
【請求項４７】
前記送信機は、前記パワー調整が低減される場合に、前記ＡＰへバッテリ低下メッセージを送信するように設定されていることを特徴とする請求項４６に記載の無線送受信ユニット。
【請求項４８】
前記送信機は、前記受信された所望の送信パワーレベルデータに基づく前記ＡＰ宛の無線信号の送信パワーの前記プロセッサによる調整が、ＷＴＲＵ決定判断基準によって影響を受ける場合に、前記ＡＰへ非準拠調整メッセージを送信するように設定されていることを特徴とする請求項４２に記載の無線送受信ユニット。
【請求項４９】
前記プロセッサが、前記受信された所望の送信パワーレベルデータに基づいて、ならびに、残存バッテリ容量、最大パワーレベル、最小パワーレベルおよび非サポート機能のうちの少なくとも１つのＷＴＲＵ決定判断基準に基づいて、前記ＡＰ宛の無線信号の送信パワーを調整するように設定されていることを特徴とする請求項４８に記載の無線送受信ユニット。
【請求項５０】
前記プロセッサが、ＡＰから前記ＷＴＲＵへの送信のための所望のＡＰ送信パワーレベルを決定し、通信フレームに、前記ＷＴＲＵの識別データとともに前記所望のＡＰ送信パワーレベルを表すデータを挿入するように設定され、前記送信機が、前記ＡＰが前記ＷＴＲＵ宛の無線信号の送信パワーを調整することを可能にするために、前記通信フレームを送信するように設定されていることを特徴とする請求項４２に記載の無線送受信ユニット。
【請求項５１】
無線ネットワークで使用するための無線送受信ユニット（ＷＴＲＵ）において、
前記無線ネットワークのアクセスポイント（ＡＰ）から一般パワー制約メッセージのブロードキャストを受信するように設定された受信機と、
ＡＰから前記ＷＴＲＵへの送信のための所望のＡＰ送信パワーレベルを決定し、通信フレームに、前記ＷＴＲＵの識別データとともに前記所望のＡＰ送信パワーレベルを表すデータを挿入するように設定されたプロセッサと、
前記ＡＰが前記ＷＴＲＵ宛の無線信号の送信パワーを調整することを可能にするために、前記通信フレームを送信するように設定された送信機と
を備えたことを特徴とする無線送受信ユニット。
【請求項５２】
前記プロセッサが、ＣＴＳ（clear-to-send）、ＲＴＳ（request-to-send）、データまたはＡＣＫ（acknowledge）フレームに前記所望のＡＰ送信パワーレベルデータを挿入することによって、前記所望のＡＰ送信パワーレベルを表すデータを挿入するように設定されていることを特徴とする請求項５０または５１に記載の無線送受信ユニット。
【請求項５３】
前記プロセッサが、前記フレームで送信されている所望のＡＰ送信パワーレベルデータを識別するためのデータを、物理層コンバージェンスプロシージャ（ＰＬＣＰ）ヘッダの所定ビット群に挿入するように設定されていることを特徴とする請求項５２に記載の無線送受信ユニット。
【請求項５４】
前記プロセッサが、前記フレームのデータ部の先頭の所定バイト数の部分に、前記所望の送信パワーレベルデータを挿入することによって、前記所望のＡＰ送信パワーレベルを表すデータを挿入するように設定されていることを特徴とする請求項５２に記載の無線送受信ユニット。
【請求項５５】
前記プロセッサが、メディアアクセス制御（ＭＡＣ）ヘッダに、前記所望のＡＰ送信パワーレベルデータを挿入することによって、前記所望のＡＰ送信パワーレベルを表すデータを挿入するように設定されていることを特徴とする請求項５２に記載の無線送受信ユニット。
【請求項５６】
前記プロセッサが、送受信パワーレベルを扱っている過去のメッセージに加えて、信号対雑音比（ＳＮＲ）、ビット誤り率（ＢＥＲ）、フレーム誤り率（ＦＥＲ）、および前記ＡＰから受信される信号の送信パワーの少なくとも１つを含むデータを決定し、保存することにより、過去の送受信統計値を利用することによって、前記所望のＡＰ送信パワーレベルを決定するように設定されていることを特徴とする請求項５０または５１に記載の無線送受信ユニット。
【請求項５７】
前記プロセッサが、パワー制御のために特別に指定された個々の制御フレームに、前記所望の送信パワーレベルデータを挿入することによって、前記所望のＡＰ送信パワーレベルを表すデータを挿入するように設定されていることを特徴とする請求項５０または５１に記載の無線送受信ユニット。